(57)【特許請求の範囲】
【請求項１】
可撓性を有する薄板で、取付け部を有して板状に形成された本体及び該本体に対して弾性変形及び復元可能に一体形成された屈曲片を備え、
前記本体は、その一端側及び他端側にケーブル挿通孔が設けられ、
前記屈曲片は、前記本体をその一端側から他端側に向けてコ字状の溝で切欠くことにより、前記他端側のケーブル挿通孔の上下部分で本体と連結部で連結され、該連結部を支点として本体に対して弾性変形及び復元可能に形成されると共に、その先端側にケーブル挿通孔が設けられ、
前記各ケーブル挿通孔にケーブルを挿通係止させて該ケーブルを折り畳み状態で支持することを特徴とするケーブルガイド。
【請求項２】
前記ケーブルは、前記本体の一端側に設けたケーブル挿通孔から他端側に設けたケーブル挿通孔に挿通係止された後に、前記屈曲片のケーブル挿通孔に挿通係止されることを特徴とする請求項１に記載のケーブルガイド。
【発明の詳細な説明】
【技術分野】
【０００１】
本発明は、例えば筺体内に配置された二つの構成部品のプリント基板間を接続するためのケーブルを筐体内においてガイドするケーブルガイドに関する。
【背景技術】
【０００２】
従来、各種ケーブルを支持（ガイド）するケーブルガイドとしては、例えば特許文献１に開示のものが知られている。このケーブルガイド１０１は、図７に示すように、全体を可撓性を有する板体により平面視ロ字状に形成し、その一端を切り離して拡開可能なケーブル挿入口１０２とすると共に、その他端部外側を取付け面１０３としてその中心位置に係合孔１０４を形成したケーブル保持片１０１ａと、前記取付け面１０３に配線盤の取付け板１０５を介して当接される平板部１０６に、前記係合孔１０４に係合するやじり状の抜け止め部１０７を立設した固定片１０１ｂとにより構成されている。
【０００３】
そして、取付け板１０５に所定の孔を設け、この取付け板１０５の孔部分の上面（表面）にケーブル保持片１０１ａを位置させると共に下面（裏面）に固定片１０１ｂを位置させ、固定片１０１ｂの抜け止め部１０７を、固定片１０１ｂの孔からケーブル保持片１０１ａの係合孔１０４に貫通させて抜け止め部１０７の先端を係合孔１０４の内側に係合させる。これにより、固定片１０１ｂとケーブル保持片１０１ａとで取付け板１０５が挟持された状態となって、ケーブルガイド１０１が取付け板１０５に取付けられ、このケーブルガイド１０１のロ子状のケーブル保持片１０１ａ内部に各種ケーブルがケーブル挿入口１０２から挿入されて支持されるようになっている。
【特許文献１】実用新案登録公報第２５５８５６４号公報
【発明の開示】
【発明が解決しようとする課題】
【０００４】
しかしながら、このようなケーブルガイド１０１にあっては、例えば複数本の各種ケーブルをケーブル保持片１０１ａで取付け板１０５の表面に沿って支持できるものの、接続するためのケーブルについて、その状態を保ったままそれら構成部品を一定の距離まで分離する必要がある場合には、取付け板１０５の表面に沿って弛みなく支持したのでは構成部品を一定の距離まで分離できない。また、逆に一定の距離まで分離できるだけの弛みを持たせて支持したのでは、再度構成部品を結合する際にケーブルを挟み込むおそれがある。そのため、機器の大きさの割に長く収まりの悪いケーブルを、機器の筺体内の限られた空間内に、常に所望の形状に折り畳んで収納することが困難となる。
【０００５】
本発明は、このような事情に鑑みてなされたもので、その目的は、構成部品間を接続するケーブルを筺体内の空間に所望の形状で折り畳んで収納可能なケーブルガイドを提供することにある。
【課題を解決するための手段】
【０００６】
かかる目的を達成すべく、本発明のうち請求項１に記載の発明は、可撓性を有する薄板で、取付け部を有して板状に形成された本体及び該本体に対して弾性変形及び復元可能に一体形成された屈曲片を備え、前記本体は、その一端側及び他端側にケーブル挿通孔が設けられ、前記屈曲片は、前記本体をその一端側から他端側に向けてコ字状の溝で切欠くことにより、前記他端側のケーブル挿通孔の上下部分で本体と連結部で連結され、該連結部を支点として本体に対して弾性変形及び復元可能に形成されると共に、その先端側にケーブル挿通孔が設けられ、前記各ケーブル挿通孔にケーブルを挿通係止させて該ケーブルを折り畳み状態で支持することを特徴とする。
【０００７】
また、請求項２に記載の発明は、前記ケーブルが、前記本体の一端側に設けたケーブル挿通孔から他端側に設けたケーブル挿通孔に挿通係止された後に、前記屈曲片のケーブル挿通孔に挿通係止されることを特徴とする。
【発明の効果】
【０００８】
本発明の請求項１に記載の発明によれば、本体の一端側及び他端側にケーブル挿通孔を設けると共に屈曲片の先端側にケーブル挿通孔を設け、各ケーブル挿通孔にケーブルを挿通係止させて該ケーブルを折り畳み状態で支持するため、屈曲片の本体に対する屈曲角度を所定に設定することにより、ケーブルの両端間の寸法を所定に設定して各種間隔の構成部品間の接続が可能となり、ケーブルガイドが静的なガイドに加え動的なガイドとしても機能して、ケーブルを筺体内の空間に所望の形状で折り畳んで収納することが可能となる。
【００１０】
また、本体と屈曲片が可撓性を有する薄板で一体形成されているため、例えばプラスチックやゴムの一体形成で本体と屈曲片を形成できて、ケーブルガイドを安価に形成することができる。さらに、ケーブルが各ケーブル挿通孔に挿通係止されるため、フラットケーブル等の各種ケーブルをケーブル挿通孔に確実に係止することができる。
【００１３】
また、請求項２に記載の発明によれば、請求項１に記載の発明の効果に加え、ケーブルが本体の一端側のケーブル挿通孔から他端側のケーブル挿通孔に挿通係止された後に、屈曲片のケーブル挿通孔に挿通係止されるため、ケーブルを本体に係止させつつ屈曲片の屈曲角度により規則正しく確実に折り畳むことができて、筺体内における配線の見栄えの向上等を図ることができる。
【発明を実施するための最良の形態】
【００１４】
以下、本発明を実施するための最良の形態を図面に基づいて詳細に説明する。
図１〜図６は、本発明に係わるケーブルガイドの一実施形態を示し、図１がその斜視図、図２が図１のＡ−Ａ線に沿った断面図、図３が屈曲部の変形状態を示す斜視図、図４がケーブルの係止状態を示す斜視図、図５が使用状態の説明図、図６がケーブルガイドの変形例を示す斜視図及び断面図である。
【００１５】
図１及び図２に示すように、ケーブルガイド１は、非使用時において平面視長方形状の薄板状に形成され、長手方向の一端側に取付け部としての取付け孔２を有する本体１ａと、この本体１ａの略中央部分に屈曲可能に設けられた屈曲片１ｂとを有している。前記本体１ａは、その一端側の取付け孔２の内側に長方形状の縦長の長孔からなるケーブル挿通孔３が形成されると共に、その他端側にも同様の長孔からなるケーブル挿通孔４が形成されている。
【００１６】
前記屈曲片１ｂは、本体１ａの一端側から他端側に向けて所定幅で平面視コ字状の溝６で切欠くことにより、他端側のケーブル挿通孔４の上下部分の連結部７で本体１ａに連結されている。そして、この屈曲片１ｂは、その基端側が前記連結部７を支点として、図２の二点鎖線や図３に示すように、本体１ａに対して屈曲可能、すなわち手動により弾性変形可能で元の形状に自動もしくは手動で復元が可能に形成されている。また、屈曲片１ａの先端側には、前記本体１ａのケーブル挿通孔３、４と同一形状の長孔からなるケーブル挿通孔５が形成されている。
【００１７】
なお、前記本体１ａと屈曲片１ｂは、例えば導電性が無く可撓性を有するゴムを含む樹脂で一体成形されたり、あるいはステンレス板等の可撓性を有する金属薄板の打ち抜き加工により一体形成されるが、ケーブル８（図４参照）への傷付き防止の観点からは樹脂による成形が好ましく、金属薄板の場合には、ケーブル挿通孔３〜５の周囲に緩衝材を設けることが好ましい。また、前記屈曲片１ｂの連結部７の幅、すなわちケーブル挿通孔４の長孔寸法は、屈曲片１ａが所定角度屈曲できるように設定され、また、前記ケーブル挿通孔３〜５の長さや幅は、ケーブル８の先端に取付けられたコネクタ９（図５及び図６参照）が挿通可能な大きさに設定されている。
【００１８】
次に、前記ケーブルガイド１の使用方法について説明する。先ず、ケーブル８は、図４（ａ）に示すように、可撓性を有して屈曲（折り畳み）可能なフラットケーブルで形成されている。そして、このケーブル８は、図４（ｂ）に示すように、例えばその一端側８ａを本体１ａのケーブル挿通孔３に表面側から挿通させて裏面側に引き出し、次に他端側８ｂを、本体１ａの他端側の裏面から表面側に回してケーブル挿通孔４の表面側から裏面側に挿通させる。さらに他端側８ｂを屈曲片１ｂのケーブル挿通孔５の裏面側から表面側に挿通させてケーブルガイド１の表面側に引き出す。これにより、ケーブル８が折り畳まれた状態でケーブルガイド１の三つのケーブル挿通孔３〜５に挿通係止されることになる。
【００１９】
このようにしてケーブル８が挿通係止されるケーブルガイド１は、図５に示すようにして使用される。すなわち、図５（ａ）に示すように、電気機器の図示しない筺体内には複数の構成部品１０、１１が配置されるが、この構成部品１０、１１に設けられたプリント基板（図示せず）には、コネクタ（図示せず）がそれぞれ搭載されている。そして、このプリント基板が搭載された二つの構成部品１０、１１間の間隔を比較的広くした例えば両構成部品１０、１１の分離状態で、ケーブルガイド１の本体１ａの取付け孔２を一方の構成部品１０の所定位置に取付部材１３を介して固定ネジ１２により固定し、ケーブルガイド１のケーブル挿通孔３から裏面側に引き出したケーブル８の一端側８ａのコネクタ９を構成部品１０の前記コネクタに嵌合させる。
【００２０】
次に、ケーブルガイド１に折り畳まれて該ガイド１の表面側に引き出されているケーブル８の他端側８ｂのコネクタ９を、他方の構成部品１１のコネクタに嵌合させる。これにより、分離状態の二つの構成部品１０、１１のプリント基板のコネクタ９がケーブル８で電気的に接続される。このとき、二つの構成部品１０、１１間の間隔が比較的広いことから、屈曲片１ｂは本体１ａに比較的大きく屈曲すると共に、本体１ａの固定側の端部も所定角度屈曲した状態となり、二つの構成部品１０、１１の比較的広い空間Ｋ２内に、ケーブル８がケーブルガイド１でガイドされた状態で配置されることになる。
【００２１】
そして、この図５（ａ）に示す状態から、例えば二つの構成部品１０、１１を接近させて筺体内の比較的間隔が狭い空間内の所定位置に収納する場合は、図５（ｂ）に示すように、構成部品１０と構成部品１１とを互いに接近させて所定の間隔ｄに設定することにより、ケーブルガイド１が空間Ｋ１内に位置する状態で筺体内に配置される。このとき、ケーブルガイド１の本体１ａや屈曲片１ｂが薄板で弾性変形可能に形成されていることから、ケーブルガイド１が構成部品１０、１１間の間隔に応じてスムーズに変形（復元）して、ケーブル８及びケーブルガイド１が空間Ｋ１内に規則正しくすっきりと配置され、例えばケーブル８が他の部品により挟み込まれたり、あるいは空間Ｋ１内に大きく弛んだ状態で配置されること等がなくなる。
【００２２】
つまり、前記ケーブルガイド１によれば、二つの構成部品１０、１１間の電気的な接続状態を維持したまま両構成部品１０、１１を筺体内の所定空間内に配置でき、その際、ケーブルガイド１に図５（ａ）に示す静的なガイドに加え、図５（ａ）から図５（ｂ）に至る動的なガイドの機能を持たせつつ、ケーブル８で接続された例えば分離状態の両構成部品１０、１１を筺体内の所定位置に収納できることになる。
【００２３】
このように、上記実施形態のケーブルガイド１にあっては、ケーブルガイド１の本体１ａの一端側と他端側にケーブル挿通孔３、４がそれぞれ設けられると共に、本体１ａに対して屈曲可能な屈曲片１ｂの先端側にケーブル挿通孔５が設けられ、各ケーブル挿通孔３〜５にケーブル８を挿通係止させることにより該ケーブル８が折り畳み状態で支持（ガイド）されるため、屈曲片１ａの屈曲角度等を所定に設定することにより、ケーブル８の両端間の寸法を所定に設定することができて、各種間隔ｄの構成部品１０、１１間のケーブル８による接続が可能となる。
【００２４】
これにより、ケーブルガイド１に静的なガイドに加え動的なガイドの機能も持たせることができ、折り畳まれた状態のケーブル８を、構成部品１０、１１間の空間Ｋ１内に効率的で規則正しくかつケーブル８が他の部品等で挟み込まれること等を防止しつつつ所望の形態で収納することができる。その結果、例えば前記構成部品１０が筺体本体内のプリント基板で、前記構成部品１１が前記筺体本体に対して開閉（もしくは取り外し）可能なカバーに設けられた端子基板等の場合で、カバーを開閉した状態で設定作業等が行われる機器であっても、カバーの開閉動作に応じてケーブルガイド１の弾性力や復元力を利用して、図５（ａ）（ｂ）に示す状態とすることができ、このような機器でも好適に使用することが可能となる。
【００２５】
また、屈曲片１ｂが弾性変形及び復元可能に形成されているため、弾性変形及び復元可能な屈曲片１ｂでケーブル８の両端間の間隔寸法等を所望に設定することができると共に、屈曲片１ｂに加えて本体１ａも弾性変形及び復元可能に構成することで、ケーブルの両端部間の寸法をより広範囲に設定することができる。また、ケーブルガイド１の本体１ａの長さ（大きさ）を所定に設定すること等により、ケーブルを所望に折り畳むことができるため、相対的な位置関係が異なる各種配置形態の構成部品１０、１１間に使用でき、これらのことから、ケーブルガイド１の汎用性を向上させて、各構成部品１０、１１がユニット化されて配置される各種電気機器に好適に使用することが可能となる。
【００２６】
さらに、本体１ａと屈曲片１ｂが可撓性を有する薄板で一体形成されているため、例えばプラスチックやゴムの一体成形や薄い金属板の打ち抜き加工で本体１ａと屈曲片１ｂを形成できて、ケーブルガイド１自体を安価に形成することができると共に、プラスチック等の導電性のない材料の使用によりケーブルガイド１によるケーブル８への傷付きを防止したり、ノイズ等の電気的な障害も防止することができる。また、ケーブルガイド１が非使用時に薄板状に形成されているため、使用前の部品状態の保管を容易に行ったりその取り扱いが容易になる等、部品の管理コストを低減させて、一層安価なケーブルガイド１を得ることが可能となる。
【００２７】
また、ケーブル挿通孔３〜５がコネクタ９が挿通可能な長孔で形成されているため、フラットケーブル８等の各種ケーブルを長孔により確実に支持（ガイド）して、複数回路からなるケーブル８の折り畳み状態を良好に維持することができる。またさらに、ケーブル８が、本体１ａの一端側のケーブル挿通孔３から他端側のケーブル挿通孔４に挿通係止された後に、屈曲片１ｂのケーブル挿通孔５に挿通係止されるため、ケーブル８を本体１ａに支持させつつ屈曲片１ｂの屈曲角度により規則正しく確実に折り畳むことができて、二つの構成部品１０、１１間にケーブル８をすっきりと配置することができて、筺体内における配線の見栄えの向上を図ることができたり、保守時の作業性を一層向上させることができる。
【００２８】
図６は、前記ケーブルガイド１の変形例を示し、（ａ）が図１と同様の斜視図、（ｂ）が（ａ）のＢ−Ｂ線に沿った断面図である。以下、上記実施形態と同一部位には、同一符号を付して説明する。この変形例のケーブルガイド１の特徴は、前記ケーブル挿通孔３〜５に本体１ａや屈曲片１ｂの端面に連通する切欠き状の溝１５〜１７が形成され、この溝１５〜１７の上下に屈曲部１５ａ〜１７ａがそれぞれ形成されている点にある。
【００２９】
すなわち、ケーブル挿通孔３の縦方向中央部から水平方向に本体１ａの端面である溝６）に向けて切欠き状の溝１５が形成され、この溝１５の上下に図６（ｂ）に示すように屈曲可能な屈曲部１５ａがそれぞれ形成されている。また同様にして、ケーブル挿通孔４から本体１ａの外周端面に向けて溝１６が形成されて、この溝１６の上下に屈曲部１６ａがそれぞれ形成され、さらに、ケーブル挿通孔５から屈曲片１ｂの先端面に向けて溝１７が形成されて、この溝１７の上下に屈曲部１７ａがそれぞれ形成されている。
【００３０】
このケーブルガイド１によれば、各ケーブル挿通孔３〜５に対応した一対の屈曲部１５ａ〜１７ａの少なくとも一方を屈曲させることにより、前記コネクタ９をケーブル挿通孔３〜５に挿通させることなく、ケーブル８を各ケーブル挿通孔３〜５に挿通係止させることができ、上記実施形態のケーブルガイド１と同様の作用効果を得ることができる。また、このケーブルガイド１の場合、ケーブル８の両端部に接続されたコネクタ９を各ケーブル挿通孔３〜５にそれぞれ挿通させる必要がなくなり、ケーブル８の係止作業を極めて簡単に行うことが可能になると共に、ケーブル挿通孔３〜５の大きさ等をコネクタ９でなくケーブル８の形態に対応できて、ケーブル８をケーブル挿通孔３〜５により確実に挿通係止することが可能となる。
【００３１】
なお、上記実施形態においては、ケーブルガイド１に一つの屈曲片１ｂを設けたが、例えば同一もしくは幅が異なり同一方向に屈曲可能かもしくは反対方向に屈曲可能な複数の屈曲片を併設状態で設け、各屈曲片にケーブルをそれぞれ係止させても良い。この場合は、特定の構成部品から引き出されて二つの構成部品に接続される２本のケーブルを一つのケーブルガイド１で支持できることになり、例えば特定の構成部品から引き出される複数のケーブルの接続に好適に使用できる。
【００３２】
また、上記実施形態における、取付け孔２の位置も本体の一端側に限らず、例えば本体の他端側や側部側に設けることもできるし、その固定方法も固定ネジに限らず、例えばフック等に係止させる構成を採用することもできる。
【産業上の利用可能性】
【００３４】
本発明は、ケーブルを電気機器等の筺体内に配線する構成に限らず、ケーブルを所定位置に収納して配線する必要がある全てのケーブルのガイドに利用できる。
【図面の簡単な説明】
【００３５】
【図１】本発明に係わるケーブルガイドの一実施形態を示す斜視図
【図２】同図１のＡ−Ａ線に沿った断面図
【図３】同屈曲片が屈曲した状態の斜視図
【図４】同ケーブルの挿通状態を示す斜視図
【図５】同使用状態を示す説明図
【図６】同ケーブルガイドの変形例を示す斜視図及び断面図
【図７】従来のケーブルガイドの使用状態の断面図
【符号の説明】
【００３６】
１・・・ケーブルガイド、１ａ・・・本体、１ｂ・・・屈曲片、２・・・取付け孔、３〜５・・・ケーブル挿通孔、６・・・溝、７・・・連結部、８・・・ケーブル、８ａ・・・一端側、８ｂ・・・他端側、９・・・コネクタ、１０、１１・・・構成部品、１２・・・固定ネジ、１３・・・取付部材、１５〜１７・・・溝、１５ａ〜１７ａ・・・屈曲部。
【図１】
0005116028.tif 000002
【図２】
0005116028.tif 000003
【図３】
0005116028.tif 000004
【図４】
0005116028.tif 000005
【図５】
0005116028.tif 000006
【図６】
0005116028.tif 000007
【図７】
0005116028.tif 000008